(57)【特許請求の範囲】
【請求項１】
パネル（２）と、ヒンジ、又はスライダーを含む家具部品を前記パネル（２）に固定するためのファスニング装置（１）とを含むセットであって、前記ファスニング装置（１）は、突出部品（８）が突出した第１エレメント面（１２）を備えたエレメント（１１）を含み、前記パネルは、縁部面（４）と、前記パネル（２）の厚さ方向に延びる挿入溝（７）を含むパネル面（３）とを含み、前記ファスニング装置（１）は、前記第１エレメント面（１２）が前記パネル面（３）に面した状態で前記パネルに組み立てられるように形成されている、セットにおいて、
前記縁部面（４）は前記挿入溝（７）と交差する縁部溝（５）を含み、
可撓性タング（６）が前記縁部溝（５）に配置されており、
前記突出部品（８）は凹所（９）を含み、
前記突出部品（８）は前記挿入溝に挿入されるように形成されており、
前記可撓性タング（６）は、前記ファスニング装置（１）を前記パネル（２）に係止するため、前記凹所（９）と協働するように形成されている、ことを特徴とするセット。
【請求項２】
前記挿入溝は、前記パネル面（３）から前記縁部溝（５）まで延びている、請求項１に記載のセット。
【請求項３】
前記挿入溝（７）は、前記挿入溝（７）と前記縁部溝（５）とが交差する位置から前記パネル（２）の厚さ方向の所定距離のところに位置する底面（１３）を含む下端付きドリル穴等の下端付きの溝である、請求項１又は２に記載のセット。
【請求項４】
前記エレメント（１１）は、二つ又はそれ以上の前記突出部品を含み、前記パネル面（３）は、直線状に配置された二つ又はそれ以上の前記挿入溝（７）を含み、前記突出部品の各々は、前記挿入溝の一つに挿入されるように形成されている、請求項１、２、又は３に記載のセット。
【請求項５】
前記縁部溝（５）は、前記縁部面（４）の長手方向に延びる細長状溝である、請求項１乃至４のうちのいずれか一項に記載のセット。
【請求項６】
前記縁部溝は、前記縁部面（４）から前記挿入溝（７）まで延びている、請求項１乃至５のうちのいずれか一項に記載のセット。
【請求項７】
前記縁部溝（５）は、底面付きの溝であり、前記挿入溝（７）と前記縁部溝（５）とが交差する位置から前記パネル（２）と平行する方向の所定距離のところに位置する底面（１４）を含む、請求項１乃至６のうちのいずれか一項に記載のセット。
【請求項８】
前記可撓性タング（６）は前記縁部溝（５）の前記底面（１４）のところに配置されている、請求項７に記載のセット。
【請求項９】
前記可撓性タングは、前記ファスニング装置（１）及び前記パネルの係止位置で、前記凹所と前記縁部溝の前記底面（１４）との間に配置されている、請求項７又は８に記載のセット。
【請求項１０】
前記ファスニング装置及び前記パネルは、前記突出部品（８）を前記挿入溝（７）に挿入し、前記第１エレメント面（１２）が前記パネル面（３）に当接した状態で配置されたとき、互いに自動的に係止するように形成されている、請求項１乃至９のうちのいずれか一項に記載のセット。
【請求項１１】
前記突出部品（８）は、前記ファスニング装置（１）を前記パネル（３）から係止解除するため、前記エレメント（１１）に対して回転できる、請求項１乃至１０のうちのいずれか一項に記載のセット。
【請求項１２】
前記突出部品（８）は、前記第１エレメント面（１２）から前記エレメント（１１）を通って、前記第１エレメント面（１２）に対向する第２エレメント面（１５）まで延びている、請求項１乃至１１のうちのいずれか一項に記載のセット。
【請求項１３】
前記エレメント（１１）の前記第１エレメント面（１２）に対向する第２エレメント面（１５）は、前記家具部品を固定するためのファスナ（２４）を含む、請求項１乃至１２のうちのいずれか一項に記載のセット。
【請求項１４】
前記挿入溝（７）は、前記縁部面（４）と隣接している、請求項１乃至１３のうちのいずれか一項に記載のセット。
【請求項１５】
前記縁部面（４）は、前記パネル面（３）に対して垂直である、請求項１乃至１４のうちのいずれか一項に記載のセット。
【発明の詳細な説明】
【技術分野】
【０００１】
本発明は、家具部品をパネルに連結するためのファスニング装置に関する。
【背景技術】
【０００２】
例えば家具のパネルにねじで固定される家具部品が公知である。こうした公知のシステムの欠点は、家具部品を組み立てて家具にするのに時間がかかるということである。
【０００３】
様々な公知の態様の以上の説明は、本出願人が思うところの特徴であって、従来技術と考えられるものではない。
【発明の概要】
【発明が解決しようとする課題】
【０００４】
本発明の特定の実施例の目的は、上文中に説明した技術及び公知の技術の改良である。特に組み立てに要する時間を短縮すること、及び工具を用いずに組み立てを行うことである。
【課題を解決するための手段】
【０００５】
以下の説明から明らかになるこれらの及び他の目的及び利点の少なくとも幾つかは、本発明の第１の態様により明らかになる。第１の態様は、パネルと、ヒンジ、内部取り付け部品、キャリング装置、又はスライダー等の家具部品をパネルに固定するためのファスニング装置とを含むセットを含む。ファスニング装置は、突出部品が突出した第１エレメント面を備えたエレメントを含む。パネルは、縁部面とパネル面とを含む。縁部面は、好ましくは、パネル面に対して本質的に垂直である。パネル面は、挿入溝を含む。ファスニング装置は、第１エレメント面がパネル面に面した状態でパネルに組み立てられるように形成されている。縁部面は縁部溝を含み、可撓性タングが縁部溝に配置されており、突出部品は凹所を含む。突出部品は挿入溝に挿入されるように形成されており、可撓性タングは、ファスニング装置をパネルに係止するため、凹所と協働するように形成されている。
【０００６】
本発明の利点は、ファスニング装置をパネルに工具なしで係止できるということである。
【０００７】
挿入溝は、好ましくは、パネル面から縁部溝まで延びている。挿入溝は、縁部溝から所定距離のところに位置する底面を含む下端付きドリル穴等の下端付きの溝であってもよい。
【０００８】
エレメントは、二つ又はそれ以上の突出部品を含んでいてもよく、パネル面は、二つ又はそれ以上の挿入溝を含んでいてもよい。挿入溝は、好ましくは、直線状に配置されている。突出部品の各々は、挿入溝の一つに挿入されるように形成されている。
【０００９】
縁部溝は、縁部面の長さ方向に延びる細長状溝であってもよく、縁部溝は、例えばエッジング(edging)によって覆われていてもよい。
【００１０】
縁部溝は、好ましくは、縁部面から挿入溝まで延びている。縁部溝は、好ましくは、底面付きの溝であり、挿入溝から所定距離のところに位置する底面を含む。可撓性タングは縁部溝の底面のところに配置されていてもよい。
【００１１】
可撓性タングは、ファスニング装置及びパネルの係止位置で、凹所と縁部溝の底面との間に配置されていてもよい。
【００１２】
ファスニング装置及びパネルは、好ましくは、突出部品を挿入溝に挿入し、エレメント面がパネル面に当接した状態で配置されたとき、互いに自動的に係止するように形成されている。
【００１３】
突出部品は、好ましくは、エレメントに対して回転できる。ファスニング装置は、好ましくは、突出部品をエレメントに対して回転することによってパネルから係止解除される。回転により可撓性タングを凹所から押し出す。突出部品は、第１エレメント面からエレメントを通って第２エレメント面まで延びていてもよい。突出部品は、凹所やウィング等のグリップ装置を第２エレメント面に備えていてもよい。
【００１４】
第２エレメント面は、家具部品を固定するためのファスナを含んでいてもよい。
【００１５】
パネルのコアは、木材をケースにしたコアであってもよく、好ましくは、ＭＤＦ、ＨＤＦ、ＯＳＢ、ＷＰＣ、合板、又はパーティクルボードで形成されていてもよい。コアは、熱硬化性樹脂、又は例えばビニル、ＰＶＣ、ＰＵ、又はＰＥＴ等の熱可塑性樹脂を含むプラスチックコアであってもよい。プラスチックコアは、充填材を含んでいてもよい。パネルには、ホイルやベニヤ等の装飾層が、一つ又はそれ以上の表面に設けられていてもよい。パネルは、無垢材であってもよい。
【００１６】
本発明を、本発明の実施例を示す添付の概略図を参照して、例として更に詳細に説明する。
【図面の簡単な説明】
【００１７】
【図１】図１は、本発明の一実施例の組み立て中の斜視図である。
【図２】図２Ａは、本発明の一実施例の組み立て中の斜視図であり、図２Ｂは、本発明の一実施例の可撓性タングの一実施例を示す図である。
【図３】図３Ａ乃至図３Ｄは、本発明の一実施例の組み立ての一実施例を示す図である。
【図４】図４Ａ乃至図４Ｄは、本発明の一実施例の様々な図である。
【図５】図５Ａ及び図５Ｂは、それぞれ、本発明の一実施例の組み立て前後の図である。
【図６】図６Ａ乃至図６Ｃは、本発明の一実施例の可撓性タングの一実施例の様々な図であり、図６Ｄは、図６Ａ乃至図６Ｃの可撓性タングに適合する係止装置の一実施例を示す図である。
【発明を実施するための形態】
【００１８】
本発明の一実施例を図１に示す。この実施例は、パネル２と、ヒンジ、内部取り付け部品、キャリング装置、又はスライダー等の家具部品をパネル２に固定するためのファスニング装置１とを含む。ファスニング装置１は、二つの突出部品８を備えた第１エレメント面１２を持つエレメント１１を含む。これらの突出部品８は、エレメント面１２から突出している。エレメント面１２に設けられた突出部品は、一つであってもよく、幾つか設けられていてもよい。パネルは、縁部面４及びパネルの主面であるパネル面３を含む。図１は、パネルの一部だけを斜視図で示す。パネル全体を図２Ａに斜視図で示す。パネル面には、縁部面４と隣接して一列の挿入溝７が設けられている。パネル面には、一つ又は幾つかの挿入溝が設けられていてもよい。ファスニング装置１は、第１エレメント面１２がパネル面３に面した状態でパネルに組み立てられるようになっている。縁部面４には縁部溝５が設けられており、この縁部溝５に可撓性タング６が配置されている。縁部溝５は、縁部面４の長さ方向に延びる長さ方向溝である。縁部溝５は、本質的に縁部面４全体に沿って延びていてもよい。図２Ａは、両縁部面４に縁部溝５が設けられていてもよいということを示す。突出部品８は、挿入溝７に挿入されるように形成されており、凹所９を備えている。可撓性タング６は、ファスニング装置１をパネル２に係止するため、凹所９と協働するように形成されている。縁部溝５は、好ましくは、可撓性タング６を縁部溝５に挿入した後、縁部バンド又はベニヤ層等のカバーエレメント１０によって覆われる。挿入溝７は、下端付きドリル穴であり、直径が約３ｍｍ乃至約１０ｍｍである。挿入溝７は、直線状に配置されていてもよく、中心間距離が約２０ｍｍ乃至約５０ｍｍである。ドリル穴は、５ｍｍ又は３．２ｍｍの家具標準直径であってもよく、３２ｍｍの標準中心間距離で配置されていてもよい。突出部品は、ロッド等の円筒形形状であってもよく、ドリル穴の直径と本質的に一致する直径を備えている。突出部品はポリマー製であってもよいし、金属材料製であってもよい。小径の突出部品を持つ実施例は、ファスニング装置の強度を向上するために三つ又はそれ以上の突出部品を備えていてもよい。
【００１９】
可撓性タング６の一実施例を図２Ｂに示す。この実施例は、突出部品８に設けられた凹所９と協働するように形成された本質的に直線状の第１縁部と、可撓性突出部品６１を含む第２縁部とを含む。これらの突出部品は、好ましくは、縁部溝１５の底面１４に当たるように配置される。図３Ａ参照。可撓性タングは、好ましくは、可撓性突出部品６１のうちの一つ又はそれ以上の外チップに、摩擦連結部６３を備えていてもよい。
【００２０】
図３Ａ−図３Ｄは、パネル２へのファスニング装置１の組み立て中のファスニング装置１の一実施例及びパネル２の一実施例の断面図を示す。パネル面３に対して本質的に垂直な方向にファスニング装置１を変位する。挿入溝７は、パネル面３から縁部溝５まで延びている。挿入溝７は下端付きドリル穴であり、縁部溝５から所定距離に位置する底面１３を備えている。縁部溝５は、縁部面４から挿入溝７まで延びている。縁部溝５は底面付き溝であり、挿入溝７から所定距離に位置する底面１４を備えている。可撓性タング６は、縁部溝５の底面１４に配置されている。ファスニング装置１及びパネル２は、突出部品８を挿入溝７に挿入し、第１エレメント面１２をパネル面３に当てて配置したときに自動的に係止するように形成されている。
【００２１】
突出部品８は、図３Ｂでは、挿入溝７内に部分的に変位しており、突出部品８の外縁部の案内面が可撓性タング６の外縁部の案内面と協働している。
【００２２】
突出部品８は、図３Ｃでは、挿入溝７内に更に変位しており、可撓性タング６は、図３Ｃでは、突出部品８によって縁部溝５の底面１４に押し付けられている。
【００２３】
可撓性タング６は、突出部品８を図３Ｄに示す係止位置に変位したとき、ばね作用で戻って突出部品８の凹所９に入るように形成されている。可撓性タング６は、凹所９と底面１４との間に配置され、可撓性タング６の係止面が凹所９の係止面と協働し、ファスニング装置１をパネル２に係止する。
【００２４】
図４Ａ−図４Ｄは、それぞれ、ファスニングエレメントの一実施例を示す第１側面図、平面図、斜視図、及び第２側面図である。この実施例は、エレメント１１の第２面１５に二つのファスナ２４を備えている。これらのファスナは、ヒンジ等の家具部品をファスニングエレメントに係止するのに使用されてもよい。他の実施例は、家具部品に応じて、ファスナが無くてもよいし、一つ又は幾つかのファスナを備えていてもよい。突出部品８は、図４Ｂに示すように、エレメント１に対して回転可能である。ファスニング装置１は、好ましくは、突出部品８をエレメント１１に対して回転２３することによってパネル２から係止解除される。回転２３により、可撓性タング６を凹所９から強制的に外してもよい。突出部品８は、第１エレメント面１２から、エレメント１１を通って、第２エレメント面１５まで延びていてもよい。突出部品８は、第２エレメント面１５に、凹所やウィング（図示せず）等のグリップ装置２２を備えていてもよい。
【００２５】
図５Ａ及び図５Ｂは、前記ファスニング装置１の第１ファスニング装置が連結エレメント５０の第１端に取り付けられ、前記ファスニング装置１の第２ファスニング装置が連結エレメント５０の第２端に取り付けられた実施例の斜視図である。スライダー等の家具部品５１が連結エレメント５０に取り付けられていてもよい。図５Ａは組み立て前の実施例を示し、図５Ｂは組み立て形態の実施例を示す。図５Ｂに示すように、可撓性タング６は、前記縁部溝５の第１縁部溝及び第２縁部溝にそれぞれ配置されており、カバーエレメント１０が前記第１及び第２の縁部面に取り付けられている。第１ファスニング装置は、パネル２の第１縁部でパネルに係止されるように形成されており、第２ファスニング装置は、パネル２の反対側の第２縁部でパネルに係止されるように形成されている。パネルは、第１縁部の前記挿入溝７の第１列を含み、かつ第２縁部の前記挿入溝の第２列を含む。この実施例は、更に、第３ファスニング装置を第１縁部に備えていてもよい。ヒンジ等の家具部品を第３ファスニング装置に取り付けてもよい。
【００２６】
図６Ａ−図６Ｃは、それぞれ、可撓性タング６の一実施例の平面図、側面図、及び斜視図を示す。可撓性タング６は、その第１及び第２の縁部のそれぞれの可撓性第１壁６５及び可撓性第２壁６６でできた凹所６２を有する。可撓性第１壁及び可撓性第２壁は、パネル２へのファスニング装置１の組み立て中に突出部品８によって変位されるように形成されている。可撓性タング６は、一つ又は幾つかの前記凹所６２を含む。可撓性タングの第１縁部及び／又は第２縁部には突出部６４が設けられていてもよく、これにより、組み立て中の可撓性第１壁６５又は可撓性第２壁６６の変位を容易にする。突出部６４の外面は、縁部溝５の底面１４と協働するように形成されている。可撓性タング６は、一つ又は幾つかの前記突出部６４を含んでいてもよい。可撓性タングは、更に、前記凹所９のうちの第１凹所を第１側部に有し、前記凹所９のうちの第２凹所を第２側部に有する突出部品８を含む図６Ｄに示すファスニング装置の実施例と協働してもよい。ファスニング装置１をパネル２に係止するため、可撓性第１壁６５は、第１側部の凹所と協働するように形成されており、可撓性第１壁６６は、第２側部の凹所と協働するように形成されている。
【符号の説明】
【００２７】
１  ファスニング装置
２  パネル
３  パネル面
４  縁部面
５  縁部溝
６  可撓性タング
７  挿入溝
８  突出部品
９  凹所
１０  カバーエレメント
１１  エレメント
１２  第１エレメント面
【図１】
0006713486.tif 000002
【図２Ａ】
0006713486.tif 000003
【図２Ｂ】
0006713486.tif 000004
【図３Ａ】
0006713486.tif 000005
【図３Ｂ】
0006713486.tif 000006
【図３Ｃ】
0006713486.tif 000007
【図３Ｄ】
0006713486.tif 000008
【図４Ａ】
0006713486.tif 000009
【図４Ｂ】
0006713486.tif 000010
【図４Ｃ】
0006713486.tif 000011
【図４Ｄ】
0006713486.tif 000012
【図５Ａ】
0006713486.tif 000013
【図５Ｂ】
0006713486.tif 000014
【図６Ａ】
0006713486.tif 000015
【図６Ｂ】
0006713486.tif 000016
【図６Ｃ】
0006713486.tif 000017
【図６Ｄ】
0006713486.tif 000018